【手続補正書】
【提出日】平成17年1月20日(2005.1.20)
【手続補正１】
【補正対象書類名】明細書
【補正対象項目名】発明の名称
【補正方法】変更
【補正の内容】
【発明の名称】テープ印刷装置
【手続補正２】
【補正対象書類名】明細書
【補正対象項目名】特許請求の範囲
【補正方法】変更
【補正の内容】
【特許請求の範囲】
【請求項１】
剥離テープとテープ本体とを積層して成る印刷テープを送り、入力した１以上のキャラクタから成るキャラクタ列を当該テープ本体に印刷すると共に、テープ送り方向に直交する方向の当該テープ本体のみの切断となるハーフカットを行ってラベル要素を構成するテープ印刷装置であって、
前記印刷テープを送るテープ送り手段と、
前記印刷テープから、その印刷済み部分であるラベル領域を切り離すフルカット手段と、
前記印刷テープへのハーフカット位置を、前記ラベル領域内において任意の位置に指定可能なカット位置指定手段と、
前記カット位置指定手段の指定結果に基づいてハーフカットを行い、前記ラベル領域内に複数の前記ラベル要素を構成するハーフカット手段と、
入力した前記キャラクタを画面表示する表示手段と、を備え、
前記カット位置指定手段は、前記表示手段の表示画面上で、前記ハーフカット位置を指定可能に構成されていることを特徴とするテープ印刷装置。
【請求項２】
前記カット位置指定手段は、前記ラベル領域内を複数の前記ラベル要素等分への分割指定により、前記ハーフカット位置を任意に指定する分割指定手段を有することを特徴とする請求項１に記載のテープ印刷装置。
【請求項３】
前記分割指定手段は、予め用意した複数の分割数の中から任意の一つの分割数を指定可能に構成されていることを特徴とする請求項２に記載のテープ印刷装置。
【請求項４】
前記カット位置指定手段は、前記ラベル領域のテープ送り方向端からの長さ指定により、前記ハーフカット位置を任意に指定する長さ指定手段を有することを特徴とする請求項１ないし３のいずれかに記載のテープ印刷装置。
【請求項５】
前記長さ指定手段は、予め用意した複数の指定長さの中から任意の一つの指定長さを指定可能に構成されていることを特徴とする請求項４に記載のテープ印刷装置。
【請求項６】
前記カット位置指定手段は、前記ハーフカット位置を前記キャラクタ列の段落単位で指定する段落指定手段を有することを特徴とする請求項１ないし５のいずれかに記載のテープ印刷装置。
【請求項７】
前記カット位置指定手段は、前記ハーフカット位置を前記キャラクタ列の文字単位で指定する文字指定手段を有することを特徴とする請求項１ないし６のいずれかに記載のテープ印刷装置。
【請求項８】
前記表示手段の表示画面は、入力した前記キャラクタを展開して表示するテキスト編集画面を有し、
前記テキスト編集画面は、前記カット位置指定手段の指定結果に基づいて、前記キャラクタと共に前記ハーフカット位置を示すハーフカットマークを表示可能に構成されていることを特徴とする請求項１ないし７のいずれかに記載のテープ印刷装置。
【請求項９】
前記フルカット手段による前記印刷テープへのフルカット位置を、前記ハーフカット位置以外の任意の位置に指定可能な切離し位置指定手段を更に備え、
前記テキスト編集画面は、前記切離し位置指定手段の指定結果に基づいて、前記フルカット位置を示すフルカットマークを更に表示可能に構成されていることを特徴とする請求項８に記載のテープ印刷装置。
【請求項１０】
前記テキスト編集画面において、前記ハーフカットマークと前記フルカットマークとは、区別可能に表示されることを特徴とする請求項９に記載のテープ印刷装置。
【請求項１１】
前記表示手段の表示画面は、前記印刷テープにおける前記キャラクタの印刷イメージを表示するプレビュー画面を有し、
前記プレビュー画面は、前記カット位置指定手段の指定結果に基づいて、前記キャラクタと共にハーフカットイメージを表示可能に構成されていることを特徴とする請求項１ないし８のいずれかに記載のテープ印刷装置。
【請求項１２】
前記フルカット手段による前記印刷テープへのフルカット位置を、前記ハーフカット位置以外の任意の位置に指定可能な切離し位置指定手段を更に備え、
前記プレビュー画面は、前記切離し位置指定手段の指定結果に基づいて、前記キャラクタと共にフルカットイメージを表示可能に構成されていることを特徴とする請求項１１に記載のテープ印刷装置。
【請求項１３】
前記プレビュー画面における前記ハーフカットイメージと前記フルカットイメージとの表示には、
前記ハーフカット位置と前記フルカット位置とを区別可能な線として、前記印刷テープの全体を一体に表示する全体表示と、
前記印刷テープを前記フルカット位置で分離した状態として表示する分離表示と、のいずれかが含まれることを特徴とする請求項１２に記載のテープ印刷装置。
【請求項１４】
前記フルカット手段による前記印刷テープへのフルカット位置を、前記ハーフカット位置以外の任意の位置に指定可能な切離し位置指定手段を更に備えたことを特徴とする請求項１ないし８のいずれかに記載のテープ印刷装置。
【請求項１５】
前記テープ送り手段、前記フルカット手段および前記ハーフカット手段を制御する制御手段を更に備え、
前記制御手段は、前記キャラクタ列の入力処理を含む前記印刷テープへの１タクトの実行処理において、１以上の切離し位置が指定された場合に、前記フルカット手段を制御し、複数のラベル領域を連続して構成することを特徴とする請求項１４に記載のテープ印刷装置。
【手続補正３】
【補正対象書類名】明細書
【補正対象項目名】０００１
【補正方法】変更
【補正の内容】
【０００１】
【発明の属する技術分野】
本発明は、剥離テープ上にテープ本体を積層して成る印刷テープに対し、このテープ本体に印刷を行うテープ印刷装置に関するものである。
【手続補正４】
【補正対象書類名】明細書
【補正対象項目名】０００４
【補正方法】変更
【補正の内容】
【０００４】
本発明は、所望の長さのラベルを作成するために、印刷テープの所望の位置にハーフカットを行うことができるテープ印刷装置を提供することをその目的としている。
【手続補正５】
【補正対象書類名】明細書
【補正対象項目名】０００５
【補正方法】変更
【補正の内容】
【０００５】
【課題を解決するための手段】
本発明のテープ印刷装置は、剥離テープとテープ本体とを積層して成る印刷テープを送り、入力した１以上のキャラクタから成るキャラクタ列を当該テープ本体に印刷すると共に、テープ送り方向に直交する方向の当該テープ本体のみの切断となるハーフカットを行ってラベル要素を構成するテープ印刷装置であって、印刷テープを送るテープ送り手段と、印刷テープから、その印刷済み部分であるラベル領域を切り離すフルカット手段と、印刷テープへのハーフカット位置を、ラベル領域内において任意の位置に指定可能なカット位置指定手段と、カット位置指定手段の指定結果に基づいてハーフカットを行い、ラベル領域内に複数のラベル要素を構成するハーフカット手段と、入力したキャラクタを画面表示する表示手段と、を備え、カット位置指定手段は、表示手段の表示画面上で、ハーフカット位置を指定可能に構成されていることを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
これらの構成によれば、印刷テープへのハーフカット位置が指定され、送られてゆく印刷テープが、ハーフカットの行われる基準位置（ハーフカット手段）に臨むと、印刷テープには、その指定したハーフカット位置にハーフカットが行われる。これにより、印刷テープから切り離されたラベル領域には、キャラクタ列を印刷済みのテープ本体がその主体となると共に、実際のラベルとして機能する複数のラベル要素が作成される。このように、ハーフカット機能を積極的に活用することで、所望の長さのラベル要素を作成することができると共に、同時にラベル要素において剥離テープからの分離し易さを適切に確保することができる。もちろん、ラベル要素において所望の余白を設定することも可能である。なお、テープ送りを停止した状態で、ハーフカットおよびフルカット（切離し）を行うことが好ましい。
また、印刷するために入力するキャラクタを表示するディスプレイ等の表示画面を利用して、ハーフカット位置を指定することができる。これにより、テープ印刷装置を使用するユーザの利便性を向上させることができる。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００３３
【補正方法】変更
【補正の内容】
【００３３】
また上記の場合、表示手段の表示画面は、印刷テープにおけるキャラクタの印刷イメージを表示するプレビュー画面を有し、プレビュー画面は、カット位置指定手段の指定結果に基づいて、キャラクタと共にハーフカットイメージを表示可能に構成されていることが、好ましい。
【手続補正１６】
【補正対象書類名】明細書
【補正対象項目名】００３９
【補正方法】変更
【補正の内容】
【００３９】
また上記の場合、フルカット手段による印刷テープへのフルカット位置を、ハーフカット位置以外の任意の位置に指定可能な切離し位置指定手段を更に備えたことが、好ましい。
【手続補正１７】
【補正対象書類名】明細書
【補正対象項目名】００４０
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】削除
【補正の内容】